(57)【要約】    【課題】引戸等の引き出し装置において、扉を閉方向及び開方向ともに自動的に引き込み移動端で閉止可能とする単一の両方向引き込みユニットを提供する。      【解決手段】第１の移動部材に設けられた第１係合部と、第１の移動部材に設けられた第２係合部と、第１の移動部材の移動を解除可能に係止するとともに該係止が突起部の一方向の相対移動による押圧力によって解除されるようにした第１の移動部材案内機構に設けられた係止手段と、第２の移動部材に設けられた第１係合部と、第２の移動部材に設けられた第２係合部と、第２の移動部材の移動を解除可能に係止するとともに該係止が突起部の他方向の相対移動による押圧力によって解除されるようにした第２の移動部材案内機構に設けられた係止手段とを備え、引き出し装置の一対の突起部と係合して引き出しを両方向の移動端に引き込み該移動端に閉止させる両方向引き込みユニットを構成する。  【選択図】  図１
2008190275.tif 000002
【特許請求の範囲】
【請求項１】
引き出し装置の一対の突起部（５８）（６０）と係合して該引き出し装置の可動側を両方向の移動端に引き込み該移動端に閉止させるための両方向引き込みユニットであって、
基体（４）と、
前記基体（４）の長手方向の一方側部分に移動自在に配置された第１の移動部材（１２）と、
前記基体（４）の長手方向の他方側部分に移動自在に配置された第２の移動部材（１４）と、
前記第１の移動部材（１２）を前記基体（４）の一方側部分に沿って移動自在に案内する前記基体（４）に設けられた第１の移動部材案内機構と、
前記第２の移動部材（１４）を前記基体（４）の他方側部分に沿って移動自在に案内する前記基体（４）に設けられた第２の移動部材案内機構と、
前記第１の移動部材（１２）を一方向に付勢する付勢手段と、
前記第２の移動部材（１４）を前記第１の付勢手段の付勢方向とは逆の他方向に付勢する付勢手段と、
前記突起部（５８）（６０）が前記基体（４）に対して前記一方向に相対移動するとき対応する突起部（５８）に係合するための前記第１の移動部材（１２）に設けられた第１係合部（２６）と、
前記突起部（５８）（６０）が前記基体（４）に対して他方向に相対移動するとき対応する突起部（５８）に係合するための前記第１の移動部材（１２）に設けられた第２係合部（２８）と、
前記付勢手段の付勢力に抗した前記第１の移動部材（１２）の前記基体（４）の一方側部分に沿った移動方向の移動端において該第１の移動部材（１２）の移動を前記基体（４）に解除可能に係止するとともに該係止が前記第１の移動部材（１２）に設けられた前記第１係合部（２６）に対する前記突起部（５８）の前記基体（４）に対する前記一方向の相対移動による押圧力によって解除されるようにした前記第１の移動部材案内機構に設けられた係止手段と、
前記突起部（５８）（６０）が前記基体（４）に対して前記他方向に相対移動するとき対応する突起部（６０）に係合するための前記第２の移動部材（１４）に設けられた第１係合部（３６）と、
前記突起部（５８）（６０）が前記基体（４）に対して前記一方向に相対移動するとき対応する突起部（６０）に係合するための前記第２の移動部材（１４）に設けられた第２係合部（３８）と、
前記付勢手段の付勢力に抗した前記第２の移動部材（１４）の移動方向の移動端において該第２の移動部材（１４）の移動を前記基体（４）に解除可能に係止するとともに該係止が第２の移動部材（１４）に設けられた前記第１係合部（３６）に対する前記突起部（６０）の前記基体（４）に対する前記他方向の相対移動による押圧力によって解除されるようにした前記第２の移動部材案内機構に設けられた係止手段と
を備えたことを特徴とする両方向引き込みユニット。
【請求項２】
前記付勢手段を引っ張り用スプリング（４４）により構成し、該スプリング（４４）の一方を前記第１の移動部材（１２）に連結し、該スプリング（４４）の他方を前記第２の移動部材（１４）に連結し、前記第１と第２の移動部材（１２）（１４）を共通のスプリング（４４）によって付勢したことを特徴とする請求項１に記載の両方向引き込みユニット。
【請求項３】
前記基体（４）を長手方向に伸縮調整自在とし、伸縮調整した状態で該基体（４）を固定可能としたことを特徴とする請求項２に記載の両方向引き込みユニット。
【発明の詳細な説明】
【技術分野】
【０００１】
本発明は、抽斗、引き戸等の引き出し装置に用いられる両方向引き込みユニットに関する。
【背景技術】
【０００２】
抽斗、引き戸等の引き出し装置に用いられる引き込み装置が従来知られている（例えば特許文献１参照）。
【特許文献１】特開平５−３１７１３３号公報
【発明の開示】
【発明が解決しようとする課題】
【０００３】
従来の引き込み装置を引き戸等に用いた場合、一方向、即ち扉（引き戸）閉方向端若しくは開方向端にのみしか自動閉止できなかった。もちろん、従来の引き込み装置を左右対称構造として２個製造し、これを引き戸等に用いれば、引き戸等を、閉方向端及び開方向端に自動閉止可能とすることは可能である。しかしながら、そのような構造では、２個の引き込み装置を製造してこれを利用する必要があり、コスト高となる。
本発明は、抽斗、引き戸等の引き出し装置に用いて、これを閉方向端及び開方向端ともに自動閉止可能とする単一の自動閉止機構を提供することを目的とする。
【課題を解決するための手段】
【０００４】
上記目的を達成するため本発明は、引き出し装置の一対の突起部（５８）（６０）と係合して該引き出し装置の可動側を両方向の移動端に引き込み該移動端に閉止させるための両方向引き込みユニットであって、基体（４）と、前記基体（４）の長手方向の一方側部分に移動自在に配置された第１の移動部材（１２）と、前記基体（４）の長手方向の他方側部分に移動自在に配置された第２の移動部材（１４）と、前記第１の移動部材（１２）を前記基体（４）の一方側部分に沿って移動自在に案内する前記基体（４）に設けられた第１の移動部材案内機構と、前記第２の移動部材（１４）を前記基体（４）の他方側部分に沿って移動自在に案内する前記基体（４）に設けられた第２の移動部材案内機構と、前記第１の移動部材（１２）を一方向に付勢する付勢手段と、
前記第２の移動部材（１４）を前記第１の付勢手段の付勢方向とは逆の他方向に付勢する付勢手段と、前記突起部（５８）（６０）が前記基体（４）に対して前記一方向に相対移動するとき対応する突起部（５８）に係合するための前記第１の移動部材（１２）に設けられた第１係合部（２６）と、前記突起部（５８）（６０）が前記基体（４）に対して他方向に相対移動するとき対応する突起部（５８）に係合するための前記第１の移動部材（１２）に設けられた第２係合部（２８）と、前記付勢手段の付勢力に抗した前記第１の移動部材（１２）の前記基体（４）の一方側部分に沿った移動方向の移動端において該第１の移動部材（１２）の移動を前記基体（４）に解除可能に係止するとともに該係止が前記第１の移動部材（１２）に設けられた前記第１係合部（２６）に対する前記突起部（５８）の前記基体（４）に対する前記一方向の相対移動による押圧力によって解除されるようにした前記第１の移動部材案内機構に設けられた係止手段と、前記突起部（５８）（６０）が前記基体（４）に対して前記他方向に相対移動するとき対応する突起部（６０）に係合するための前記第２の移動部材（１４）に設けられた第１係合部（３６）と、前記突起部（５８）（６０）が前記基体（４）に対して前記一方向に相対移動するとき対応する突起部（６０）に係合するための前記第２の移動部材（１４）に設けられた第２係合部（３８）と、前記付勢手段の付勢力に抗した前記第２の移動部材（１４）の移動方向の移動端において該第２の移動部材（１４）の移動を前記基体（４）に解除可能に係止するとともに該係止が第２の移動部材（１４）に設けられた前記第１係合部（３６）に対する前記突起部（６０）の前記基体（４）に対する前記他方向の相対移動による押圧力によって解除されるようにした前記第２の移動部材案内機構に設けられた係止手段とを備えたものである。
また本発明は、前記付勢手段を引っ張り用スプリング（４４）により構成し、該スプリング（４４）の一方を前記第１の移動部材（１２）に連結し、該スプリング（４４）の他方を前記第２の移動部材（１４）に連結し、前記第１と第２の移動部材（１２）（１４）を共通のスプリング（４４）によって付勢したものである。
また本発明は、前記基体（４）を長手方向に伸縮調整自在とし、伸縮調整した状態で該基体（４）を固定可能としたものである。
【発明の効果】
【０００５】
本件請求項１の発明は、引き戸等に用いて、これを閉方向及び開方向ともに自動閉止可能とすることができる。又、安価に製造することができる。
本件請求項２の発明は、引き込みスプリングを左右共用としたので、構造が簡単であり、且つ、安価に製造可能である。
本件請求項３の発明は、基体を長手方向に伸縮自在とし、伸縮調整した状態で、基体本体部分を固定可能としたので、引き込みスプリングによる引き込み力を任意に調整することができる。
【発明を実施するための最良の形態】
【０００６】
以下に本発明の実施の形態を添付した図面を参照して詳細に説明する。
図１は本発明に係る両方向引き込みユニット２の内部構造を示している。ケーシングを兼ねる基体４は、樹脂の成型品により構成されている。基体４の内部には、図１〜５に示すように、長手方向に延びる正面壁部４ａと、これに平行な背面壁部４ｂと、底面壁部４ｃと、左側面壁部４ｄと、右側面壁部４ｅとで囲まれ、上部が開放された収納空間部５が形成されている。前記基体４の中央部と左右両側には、該基体４を扉などに固定するときに用いられる取付穴６が設けられている。
【０００７】
前記収納空間部５内には後述する両方向引き込み閉止構成要素が収納配置され、基体４及びこれらの要素が全体として単一化されている。前記基体４の正面壁部４ａと背面壁部４ｂの左側部分には、左右方向に延びる互いに同一高さの一対の溝８，８が形成され、右側部分には左右方向に延びる互いに同一高さの一対の溝１０，１０が形成されている。左側の一対の溝８，８は、前記基体４の長手方向に沿って該基体４の略中央部にまで延びる直線部分８ａ，８ａと、これに対して略直角な係止部分８ｂ，８ｂと、該係止部分８ｂ，８ｂと直線部分８ａ，８ａとの連結部に形成されたわん曲部８ｃ，８ｃとを備えている。
【０００８】
前記わん曲部８ｃ，８ｃは、前記係止部分８ｂ，８ｂ及び溝８，８の左側に左側面壁部４ｄの近傍に位置して形成されている。右側の一対の溝１０，１０も同様に、前記基体４の長手方向に沿って該基体４の略中央部にまで延びる直線部分１０ａ，１０ａと、これに対して略直角な係止部分１０ｂ，１０ｂと、該係止部分１０ｂ，１０ｂと直線部分１０ａ，１０ａとの連結部に形成されたわん曲部１０ｃ，１０ｃとを備えている。前記わん曲部１０ｃ，１０ｃは、前記係止部分１０ｂ，１０ｂ及び溝１０，１０の右側に右側面壁部４ｅの近傍に位置して形成されている。前記一対の溝８，８と一対の溝１０，１０とは図１中、左右対称の構成となっている。前記収納空間部５には、一対の樹脂製の移動部材１２，１４が配置され、該移動部材１２，１４は、図１中、紙面垂直方向に延びる軸状の嵌合凸部１６と１８、嵌合凸部２０と２２が、それぞれ移動部材１２，１４の左右に所定の間隔を有して突設されている。
【０００９】
左側の移動部材１２の嵌合凸部１６，１８は、左側の溝８，８にスライド自在に嵌合し、右側の移動部材１４の嵌合凸部２０，２２は、右側の溝１０，１０にスライド自在に嵌合している。前記溝８，８，１０，１０は移動部材１２，１４をそれぞれ移動自在に案内する移動部材案内機構を構成している。左側の移動部材１２には、一体的にＵ字形のチャック部２４が形成され、該チャック部２４の右側には、第１係合部２６が、左側には第２係合部２８が所定の間隔を存して形成されている。
【００１０】
また、前記移動部材１２には、非常用の係合部材３０が一体的に形成され、該係合部材３０は、細長状のばね部３０ａを介して移動部材１２に一体的に結合している。前記非常用係合部材３０には、傾斜面３０ｂに隣接して第３係合部３２が形成されている。右側の移動部材１４も同様に、一体的にＵ字形のチャック部３４が形成され、該チャック部３４の左側には、第１係合部３６が、右側には第２係合部３８が所定の間隔を存して形成されている。
【００１１】
また、前記移動部材１４には、非常用の係合部材４０が一体的に形成され、該係合部材４０は、細長状のばね部４０ａを介して移動部材１４に一体的に結合している。非常用係合部材４０には、傾斜面４０ｂに隣接して第３係合部４２が形成され、左右の移動部材１２，１４は、図１中、左右対称の構成となっている。左右の移動部材１２，１４のばね取付部間には、圧縮型コイルスプリングからなる引き込みスプリング４４の両端が掛架され、該引き込みスプリング４４のばね力により、移動部材１２，１４は互いに接近する方向に付勢されている。前記移動部材１２の嵌合凸部１６，１８が溝８の直線部分８ａに位置し、移動部材１２が溝８の係止部分８ｂ，８ｂに対して非係止状態のときは、第１及び第２係合部２６，２８及び非常用係合部材３０の上部は、基体４から突出し、突起部５８との係合可能位置に突出している。また前記移動部材１４の嵌合凸部２０，２２が溝１０の直線部分１０ａに位置し、移動部材１４が溝１０の係止部分１０ｂ，１０ｂに対して非係止状態のときは、第１及び第２係合部３６，３８及び非常用係合部材４０の上部は、基体４から突出し、突起部６０との係合可能位置に突出している。
【００１２】
一方、移動部材１２，１４が溝８，１０の係止部分８ｂ，１０ｂに係止されているときは、移動部材１２，１４の傾きにより、第１係合部２６，３６を残して、第２係合部２８，３８及び非常用係合部材３０，４０は、基体４から引っ込み、突起部５８，６０との係合位置から外れた状態となるように設定されている。
次に図６乃至１０を参照して両方向引き込みユニット２を引き戸などの引き出し装置に取り付けたときの自動引き込み閉止動作について説明する。
図６は引き出し装置を正面から見た状態を示し、図８の符号○付きの１から符号○付きの２及び図９の符号○付きの１から符号○付きの７はそれぞれステップＮｏ．１からステップＮｏ．７の状態を示し、それぞれ対応している。
【００１３】
図６において、引き出し装置は、支持体４６即ち固定側にガイドレール４８が配設され、扉（引き戸）５０即ち可動側が滑車５２を介してガイドレール４８に、図中、左右方向に移動自在に支持されている。前記支持体４６にはガイドレール４８の右端に位置して、扉５０の右側面を係止する右側突き当て部５４が設けられている。また支持体４６の他方側には、ガイドレール４８の左端に位置して、扉５０の左側面を係止する左側突き当て部５６が設けられている。前記扉５０は、前記左右の突き当て部５６，５４間でこれらを移動端として左右に移動可能な構成となっている。
【００１４】
扉５０が右側一杯に右側突き当て部５４まで移動すると、支持体４６の戸口（図示省略）の全域が開き、扉５０が左側一杯に左側突き当て部５６まで移動すると、支持体４６の戸口の全域が扉５０によって閉じられるように構成されている。支持体４６の上部には、ブラケットを介してピンからなる突起部５８，６０が取り付けられている。前記扉５０の上部には両方向引き込みユニット２の基体４がブラケットを介して固定されている。前記突起部５８は、両方向引き込みユニット２の移動部材１２のチャック部２４と係合する所定の位置に配置され、前記突起部６０は、両方向引き込みユニット２の移動部材１４のチャック部３４と係合可能な所定の位置に配置されている。
【００１５】
図８のステップＮｏ．１は扉５０が、右側突き当て部５４に閉止されている状態を示している。該状態において、図９のステップＮｏ．１に示すように、突起部６０は、移動部材１４のチャック部３４に嵌入し、チャック部３４の第２係合部３８に引き込みスプリング４４の引っ張り力により、弾接し、扉５０は、突起部６０を支点として、右方向に付勢され、扉５０の右側面が、右側突き当て部５４に弾接している。該状態において、嵌合凸部２２は、溝１０の左端の近傍に移動している。一方、移動部材１２側は嵌合凸部１６が溝８の係止部分８ｂに嵌入し、該移動部材１２は、溝８の係止部分８ｂに係止されている。
【００１６】
該係止状態において、移動部材１２は嵌合凸部１８を中心として反時計方向に傾き、第１係合部２６が基体４から突出した状態で、第２係合部２８が突起部５８との係合可能位置より下方に引っ込んでいる。次に、扉５０を、引き込みスプリング４４の引っ張り弾力に抗して、左方向に押動すると、突起部６０は、基体４に対して右方向即ち一方向に相対移動し、嵌合凸部２０，２２は、溝１０に沿って右方向に相対移動する（ステップＮｏ．２）。なおも扉５０を左方向に押動すると、移動部材１４の嵌合凸部２０は、溝１０のわん曲部１０ｃに案内されて、係止部分１０ｂに嵌入する。このとき、移動部材１４は、嵌合凸部２２を中心として、時計方向に傾き、第２係合部３８が突起部６０との係合位置から下方向に引っ込み、突起部６０と第２係合部３８との係合が解除される（ステップ３，４）。
【００１７】
これにより、扉５０は引き込みスプリング４４の弾発力に対してフリーの状態となる。更に、扉５０を左方向に引き出すと、突起部５８は、基体４に対して右方向即ち一方向に相対移動し、左側の移動部材１２の第１係合部２６が突起部５８に衝突する（ステップ５）。なおも扉５０を左方向に押動し、突起部５８を基体４に対して右方向（一方向）に相対移動すると、この押動力により移動部材１２は、嵌合凸部１８を支点として、反時計方向に揺動する。この揺動により、第２係合部２８は、上昇して突起部５８に係合するとともに、嵌合凸部１６は、溝８の係止部分８ｂから離脱して、移動部材１２は係止状態が解除される。移動部材１２の係止状態が解除されると、第２係合部２８が引き込みスプリング４４の引っ張り弾力により突起部５８に弾接し、基体４は突起部５８を支点として、左方向に付勢される。この付勢力により、基体４は、図中、左方向に引き込まれ、突起部５８は、第２係合部２８と係合したまま、基体４に対して、右方向即ち一方向に相対移動する。
【００１８】
これにより、扉５０は、これに対する手動による左方向の押動力を解除しても、引き込みスプリング４４の引っ張り力により、突起部５８を支点として左方向に自動的に引き込まれる（ステップ６）。嵌合凸部１８が溝８の右側終端近傍に達すると、扉５０は、その左側面が左側突き当て部５６に弾接し、これに係止される（ステップ７）。これによって、支持体４６の戸口は、扉５０によって完全に閉じられ、扉５０は、支持体４６の左側の移動端に閉止される。扉５０を右方向に引き出す場合は、上記ステップＮｏ．１〜７とは逆のステップＮｏ．７〜１の動作となる。即ち、図１０において、扉５０が左側閉止位置から右方向に引き出されると、突起部５８は、基体４に対して、左方向即ち他方向に相対移動し、移動部材１２は、突起部５８との係合が解除され、移動部材１２は、溝８の係止部分８ｂに係止される。更に扉５０を右方向に引き出すと、図１０のステップ１で移動部材３が突起部６０と係合する。
【００１９】
なおも扉５０を右方向に手動で引き出すと、突起部６０は、基体４に対して、左方向即ち他方向に相対移動し、移動部材１４の係止状態が解除され、移動部材１４に突起部６０を支点として引き込みスプリング４４の引っ張り力が作用し、扉５０は、この引き込みスプリング４４の引っ張り力によって自動的に右方向に引き込まれる（図１０のステップ２）。嵌合凸部２２が溝１０の左側近傍に達すると、扉５０の右側面は、右側突き当て部５４に弾接し、戸口が完全に開き、扉５０は開方向側の突き当て部５４に閉止される（図１０のステップ３）。尚、図９のステップ１及びステップ５に示すように、扉５０が突き当て部５４又は５６に移動している状態では、移動部材１２，１４は溝８，１０の係止部分８ｂ，１０ｂによって係止されている状態が正常であるが何らかのアクシデントにより、移動部材１２，１４が係止部分８ｂ，１０ｂから外れ、溝８，１０の直線部分８ａ，１０ａの端部に移動している場合が生じることがある。
【００２０】
この場合には、移動部材１２，１４を定常位置に戻しておく必要がある。非常用係合部材３０，４０は、この場合の救済手段として設けられている。移動部材１２を定常位置に戻す動作について説明すると、まず、引き出し扉５０を閉める方向即ち左方向に手作業により押動し、突起部５８を、基体４に対して右方向即ち一方向に相対移動させ、非常用係合部材３０の傾斜面３０ｂに衝突させる。なおも、扉５０を左方向に押動すると、突起部５８により、係合部材３０は、ばね部３０ａの弾力に抗して、基体４から引っ込む方向に変位する。
【００２１】
突起部５８が傾斜面３０ｂを乗り越えると、非常用係合部材３０は、元位置にばね部３０ａの弾力で復帰し、突起部５８は、第３の係合部３２と第２の係合部２８との間に嵌入し、突起部５８は、係合部３２，２８間にチャックされる次に、扉５０を右方向に手操作で引き込みスプリング４４の弾力に抗して引くと、突起部５８は、基体４に対して左方向即ち他方向に相対移動し、移動部材１２が溝８ａに沿って、左方向に移動し、扉５０が右側突き当て部５４に達したところで、嵌合凸部１６が、溝８の係止部分８ｂに嵌入して、移動部材１２は、定常位置に戻り、該位置に係止される。このとき非常用係合部材３０は、基体４から引っ込み突起部５８との係合可能位置から外れる。移動部材１４を定常位置に戻す動作も、上記移動部材１２で説明した動作と原理は同一であるのでその説明を省略する。
【００２２】
上記実施形態では、両方向引き込みユニット２を扉５０に取り付け、突起部５８，６０を支持体４６側に設けたが両方向引き込みユニット２を支持体４６側即ち固定側に設け、突起部５８，６０を扉５０側即ち引き出し装置の可動側に設けた構成としても良い。
次に図１１乃至図１６を参照して引き込みスプリングの弾力調整機構を備えた両方向引き込みユニット２’の実施形態について説明する。
本実施形態において、基体４は、真ん中から分割され、分割された基体４の左側部分４ａと、右側部分４ｂの各底部に段差を有して配置された案内片６２から成るスライド案内部４ｃ，４ｄが形成されている。接続部材６４の帯板状部が前記スライド案内部４ｃ，４ｄにスライド自在に嵌合配置されている。前記接続部材６４の中央部には一対の立ち上がり部６４ａが形成され、これに取り付け用の穴６６が形成されている。基体４の左側部分４ａの左側に設けられた取付穴６及び右側部分４ｂの右側に設けられた取付穴６は、その取り付け位置が変更可能なように左右方向に長穴となっている。その両方向引き込みユニット２’の他の構成は図１に示す実施形態の両方向引き込みユニット２と同一である。
【００２３】
上記した構成において、接続部材６４の立ち上がり部６４ａを、取り付け用穴６６を介して扉５０などの取付部に固定する。この状態で接続部材６４に対して、基体４の左側部分４ａと右側部分４ｂとをスライドさせることにより、基体４の長さを伸縮方向に調整する。基体４の伸縮方向の変位に伴い、引き込みスプリング４４は伸縮し、その引っ張り力が変化する。引き込みスプリング４４を適宜なばね力に調整したところで、基体４の左側部分４ａと右側部分４ｂを取付穴６を介して扉５０又は支持体４６側の取付部に固定する。基体４を伸縮方向に調整した場合は、それに伴い、対応する突起部５８，６０の取り付け位置も適宜調整する。また基体４に方向性を有するダンパー（ショックアブソーバ）を配設し、該ダンパーの入力部を前記移動部材１２，１４に連係し、該移動部材１２，１４の引き込み方向の移動にダンパー力が作用するように構成しても良い。
【図面の簡単な説明】
【００２４】
【図１】本発明に係る両方向引き込みユニットの正面断面図である。
【図２】両方向引き込みユニットの平面図である。
【図３】両方向引き込みユニットの正面図である。
【図４】両方向引き込みユニットの底面図である。
【図５】両方向引き込みユニットの左側面図である。
【図６】引き出し装置の正面説明図である。
【図７】引き出し装置の右側面説明図である。
【図８】本発明の動作説明図である。
【図９】本発明の動作説明図である。
【図１０】本発明の動作説明図である。
【図１１】本発明の他の実施形態を示す両方向引き込みユニットの正面断面図である。
【図１２】同、平面図である。
【図１３】同、正面図である。
【図１４】同、底面図である。
【図１５】同、分解斜視図である。
【図１６】同、一部を切り欠いた外観図である。
【符号の説明】
【００２５】
２      両方向引き込みユニット
２’    両方向引き込みユニット
４      基体
４ａ    正面壁部
４ｂ    背面壁部
４ｃ    底面壁部
４ｄ    左側面壁部
４ｅ    右側面壁部
５      収納空間部
６      取付穴
８      溝
８ａ    直線部分
８ｂ    係止部分
８ｃ    わん曲部
１０    溝
１０ａ  直線部分
１０ｂ  係止部分
１０ｃ  わん曲部
１２    移動部材
１４    移動部材
１６    嵌合凸部
１８    嵌合凸部
２０    嵌合凸部
２２    嵌合凸部
２４    チャック部
２６    第１係合部
２８    第２係合部
３０    係合部材
３０ａ  ばね部
３０ｂ  傾斜面
３２    第３係合部
３４    チャック部
３６    第１係合部
３８    第２係合部
４０    係合部材
４２    第３係合部
４４    引き込みスプリング
４６    支持体
４８    ガイドレール
５０    扉
５２    滑車
５４    突き当て部
５６    突き当て部
５８    突起部
６０    突起部
６２    案内片
６４    接続部材
６６    穴
【図１】
2008190275.tif 000003
【図２】
2008190275.tif 000004
【図３】
2008190275.tif 000005
【図４】
2008190275.tif 000006
【図５】
2008190275.tif 000007
【図６】
2008190275.tif 000008
【図７】
2008190275.tif 000009
【図８】
2008190275.tif 000010
【図９】
2008190275.tif 000011
【図１０】
2008190275.tif 000012
【図１１】
2008190275.tif 000013
【図１２】
2008190275.tif 000014
【図１３】
2008190275.tif 000015
【図１４】
2008190275.tif 000016
【図１５】
2008190275.tif 000017
【図１６】
2008190275.tif 000018